(57)【要約】【課題】広告スタンドの脚を引き抜くことなく吸入口から離間可能な吸入口カバーを備え、吸入口周辺の清掃が容易なショーケースの吸入口保護装置を提供する。【解決手段】ショーケースの吸入口保護装置は、例えば、前面パネル16の内側に上方に向けて開口したエアカーテン用及び冷気用吸入口（28b,30b）を具備するショーケースに設けられる。吸入口保護装置は、エアカーテン用吸入口（28b）に接離可能に配置され、エアカーテン用吸入口（28b）近傍に配置される広告スタンド（66）の脚（68）が挿通される長孔（50d）を有するエアカーテン用吸入口カバー（50）を備える。エアカーテン用吸入口カバー（50）は、広告スタンド（66）の脚（68）の配置を変更することなく、エアカーテン用吸入口（28b）から離間することを許容される。【選択図】図３
2008202877.tif 000002
【特許請求の範囲】
【請求項１】
前面パネルの内側に上方に向けて開口した空気流の吸入口を具備するショーケースに設けられ、前記吸入口を保護するショーケースの吸入口保護装置において、
前記吸入口に接離可能に配置され、前記吸入口近傍に配置される広告スタンドの脚が挿通される孔を有する吸入口カバーを備え、
少なくとも前記孔が形成された前記吸入口カバーの一の部分は、前記広告スタンドの脚の配置を変更することなく、前記吸入口から離間することを許容される
ことを特徴とするショーケースの吸入口保護装置。
【請求項２】
前記脚は、上下に延びる垂直部及び前記垂直部の上端に略直角に連なる水平部を有し、
前記垂直部及び水平部は、前記ショーケースの前面パネルとの間に、前記吸入口カバーの一の部分の前記吸入口からの離間を許容する隙間を存して配置されている
ことを特徴とする請求項１に記載のショーケースの吸入口保護装置。
【請求項３】
前記ショーケースは、前記吸入口の上方に設けられた吹出口を更に具備し、
前記吹出口は、
常温の空気を吹き出すエアカーテン用吹出口と、
前記エアカーテン用吹出口の内側に配置され、常温よりも低温の空気を吹き出す冷気用吹出口とを含み、
前記吸入口は、前記エアカーテン用吹出口及び冷気用吹出口にそれぞれ対応して設けられたエアカーテン用吸入口及び冷気用吸入口を含み、
前記吸入口カバーは、
前記エアカーテン用吸入口に接離可能な前記一の部分としてのエアカーテン用吸入口カバーと、
前記冷気用吹出口に接離可能であり、前記エアカーテン用吸入口カバーとは別体の冷気用吸入口カバーとを含む
ことを特徴とする請求項１又は２に記載のショーケースの吸入口保護装置。
【請求項４】
前記吸入口内に配置され、少なくとも前記エアカーテン用吸入口カバーを支持する支持部材と、
前記支持部材に対して前記エアカーテン用吸入口カバーを固定するための固定部材と
を更に備えることを特徴とする請求項３に記載のショーケースの吸入口保護装置。
【発明の詳細な説明】
【技術分野】
【０００１】
本発明は、商品等の物品を陳列するショーケースの吸入口保護装置に関する。
【背景技術】
【０００２】
ショーケースには、陳列室の前面が開口し、この開口を覆うように冷気及び常温の空気を上から下に流動させるものがある。このタイプのショーケースは、天井パネルの前端部に冷気及び常温の空気の吹出口がそれぞれ設けられ、前面パネルの上端部に、冷気及び常温の空気の吸入口がそれぞれ設けられる。
冷気及び常温の空気の吸入口には、複数の孔を配列して形成された格子状の吸入口カバーが配置され、吸入口カバーは、各吸入口内への物品の落下を防止する。
【０００３】
吸入口は、冷気及び常温の空気ととともに埃も吸い込むため、吸入口カバーの周辺には埃が溜まって汚れが付きやすい。このため、特許文献１の冷蔵ショーケースに用いられた吸入口カバーは着脱自在に設けられ、吸入口カバーを外して吸入口周辺の清掃が可能である。
一方、ショーケースの前面パネルの上端部近傍には、陳列される商品の値段等を記した広告を保持するための広告スタンド（ポップレール）が配置される。広告スタンドの脚は、吸入口カバーの孔を上から下に向けて挿通され、その下端が前面パネルの内側に抜き差し可能に固定される。
【特許文献１】特開2005-273992号公報
【発明の開示】
【発明が解決しようとする課題】
【０００４】
従来のショーケースでは、広告スタンドの脚を引き抜かなければ、吸入口カバーを吸入口から外すことができない。このため、吸入口の内部を清掃するには、広告スタンドの脚を引き抜いてから、吸入口カバーを外さなければならず、清掃作業が煩雑である。このため吸入口周辺の清掃が疎かになり易く、清潔感の維持が困難であった。
本発明は上述した事情に基づいてなされ、その目的とするところは、広告スタンドの脚を引き抜くことなく吸入口から離間可能な吸入口カバーを備え、吸入口周辺の清掃が容易なショーケースの吸入口保護装置を提供することにある。
【課題を解決するための手段】
【０００５】
上記の目的を達成するために、本発明によれば、前面パネルの内側に上方に向けて開口した空気流の吸入口を具備するショーケースに設けられ、前記吸入口を保護するショーケースの吸入口保護装置において、前記吸入口に接離可能に配置され、前記吸入口近傍に配置される広告スタンドの脚が挿通される孔を有する吸入口カバーを備え、少なくとも前記孔が形成された前記吸入口カバーの一の部分は、前記広告スタンドの脚の配置を変更することなく、前記吸入口から離間することを許容されることを特徴とするショーケースの吸入口保護装置、提供される（請求項１）。
【０００６】
好ましくは、前記脚は、上下に延びる垂直部及び前記垂直部の上端に略直角に連なる水平部とを有し、前記垂直部及び水平部は、前記ショーケースの前面パネルとの間に、前記吸入口カバーの一の部分の前記吸入口からの離間を許容する隙間を存して配置されている
（請求項２）。
好ましくは、前記ショーケースは、前記吸入口の上方に設けられた吹出口を更に具備し、前記吹出口は、常温の空気を吹き出すエアカーテン用吹出口と、前記エアカーテン用吹出口の内側に配置され、常温よりも低温の空気を吹き出す冷気用吹出口とを含み、前記吸入口は、前記エアカーテン用吹出口及び冷気用吹出口にそれぞれ対応して設けられたエアカーテン用吸入口及び冷気用吸入口を含み、前記吸入口カバーは、前記エアカーテン用吸入口に接離可能な前記一の部分としてのエアカーテン用吸入口カバーと、前記冷気用吹出口に接離可能であり、前記エアカーテン用吸入口カバーとは別体の冷気用吸入口カバーとを含む（請求項３）。
【０００７】
好ましくは、吸入口保護装置は、前記吸入口内に配置され、少なくとも前記エアカーテン用吸入口カバーを支持する支持部材と、前記支持部材に対して前記エアカーテン用吸入口カバーを固定するための固定部材とを更に備える（請求項４）。
【発明の効果】
【０００８】
本発明の請求項１のショーケースの吸入口保護装置によれば、広告スタンドの脚の配置を変更することなく、すなわち脚を吸入口カバーの孔から引き抜くことなく、孔が形成された少なくとも吸入口カバーの一部分が吸入口から離間することが許容される。このため、吸入口周辺を清掃する者は、脚及び広告スタンドを取り外さずに清掃を容易に行うことができる。この結果として、吸入口周辺の清潔感が確保され、ショーケースに陳列された商品に対する購買意欲が損なわれることがない。
【０００９】
請求項２のショーケースの吸入口保護装置によれば、脚の垂直部及び水平部とショーケースの前面パネルとの間に隙間を設けることにより、吸入口カバーの一の部分を容易且つ確実に吸入口から離間させることができる。
請求項３のショーケースの吸入口保護装置によれば、互いに別体のエアカーテン用吸入口カバー及び冷気用吸入口カバーを有することにより、エアカーテン用吸入口カバーが小さく形成され、エアカーテン用吸入口から離間させるのが一層容易である。
【００１０】
請求項４のショーケースの吸入口保護装置によれば、固定部材を用いて、支持部材にエアカーテン用吸入口カバーを固定することで、簡単な構成にて、エアカーテン用吸入口カバーのがたつきが防止される。
【発明を実施するための最良の形態】
【００１１】
図１は、縦型の冷蔵用オープンショーケースの横断面をその室外機ユニット10とともに示している。ショーケースは、例えばコンビニエンスストア、スーパーストア等の店舗内に設置され、室外機ユニット10は店舗の外に設置される。
ショーケースは、ベース12の上に設置された本体14を有し、本体14は、前面が開口した箱形状をなす。具体的には、本体14は、互いに接続された前面パネル16、底パネル18、背面パネル20、天井パネル22及び側面パネル24を有し、これら前面、底、背面、天井及び側面パネル16,18,20,22,24は断熱材26が充填された二重構造をそれぞれ有する。
【００１２】
本体14の内側には、前面パネル16、底パネル18、背面パネル20及び天井パネル22に沿うように、常温の空気を流通させるためのエアカーテン用ダクト28が区画されている。エアカーテン用ダクト28の内側には、このエアカーテン用ダクト28に沿うように冷気を流通させるための冷気用ダクト30が区画されている。
これらエアカーテン用及び冷気用ダクト28,30は、天井パネル22の前端部近傍にて下方に向けて開口した上端と、前面パネル16の内側にて上方に向けて開口した下端とをそれぞれ有する。これらエアカーテン用及び冷気用ダクト28,30の上端は、常温空気の吹出口（エアカーテン用吹出口28a）及び冷気の吹出口（冷気吹出口30a）としてそれぞれ機能し、これらの下端は、常温空気の吸入口（エアカーテン用吸入口28b）及び冷気の吸入口（冷気用吸入口30b）としてそれぞれ機能する。
【００１３】
冷気用ダクト30の内側には、物品を陳列するための陳列室32が区画され、陳列室32には、ブラケット34を介して複数の棚36が上下に並んで設置される。各棚36上には、例えば乳製品等の冷蔵保存すべき商品（図示せず）が陳列され、これら商品を冷やすために、冷気用ダクト30内には、背面パネル20に沿うように蒸発器38が設置されている。
蒸発器38は、冷媒の循環路に介挿されており、冷凍回路を構成すべく、冷媒の流動方向でみて、循環路には、圧縮機40、凝縮器42、膨張器44及び蒸発器38がこの順序で介挿されている。なお、圧縮機40及び凝縮器42は、室外機ユニット10内に配置され、膨張器44は、エアカーテン用ダクト28内に配置される。
【００１４】
そして、冷気用ダクト30内には、空気回路を構成すべく、蒸発器38よりも上流に送風ファン（冷気用送風ファン46）が配置され、冷気用送風ファン46が冷気の流れを生成する。
一方、エアカーテン用吹出口28aからエアカーテン用吸入口28bに亘るエアカーテンを形成するために、エアカーテン用ダクト28内にも送風ファン（エアカーテン用送風ファン）が配置される。ただし、冷気用送風ファン46とエアカーテン用送風ファンは、本体14の幅方向に並んでおり、線が重なるためその図示を省略する。また、図１では、冷気用送風ファン46の設置領域で、エアカーテン用ダクト28が途切れているように見えるが、実際には、エアカーテン用送風ファンの設置領域を介して繋がっている。
【００１５】
図２は、一実施形態のショーケースの吸入口保護装置が適用されたエアカーテン用及び冷気用吸入口28b,30bの周辺を示す上面図であり、図３は、図２のIII-III線に沿った断面図である。これら図２及び図３に示したように、吸入口保護装置は、エアカーテン用吸入口カバー50、冷気用吸入口カバー52、及び、補助用吸入口カバー54を有し、エアカーテン用、冷気用及び補助用吸入口50,52,54は、この順序で互いに平行に配置されている。
【００１６】
エアカーテン用吸入口カバー50は、コの字形状の横断面形状を有し、長方形の平坦部50aと、平坦部50aの両側縁に直角且つ一体にそれぞれ連なる長方形の２つの側部50b,50cとを有する。平坦部50aには、複数の長孔50dが形成され、これら長孔50dは、平坦部50aの長手方向に所定の間隔をあけて並んでいる。そして、各長孔50dは平坦部50aの略全幅に亘って延びており、エアカーテン用吸入口カバー50の平坦部50aは格子状をなしている。
【００１７】
冷気用吸入口カバー52は、歪んだコの字形状の横断面形状を有し、斜めに配置された長方形の平坦部52aと、平坦部52aの両側縁に一体に形成され且つそれぞれ所定の高さを有する長方形の２つの側部52b,52cとを有する。冷気用吸入口カバー52の平坦部52aにも、複数の長孔52dが形成され、これら長孔52dは、平坦部52aの長手方向に所定の間隔をあけて並んでいる。そして、各長孔52dは平坦部52aの略全幅に亘って延びており、冷気用吸入口カバー52の平坦部52aも格子状をなしている。
【００１８】
補助用吸入口カバー54は、斜めに配置された長方形の平坦部54aを有し、平坦部54aは冷気用吸入口カバー52の平坦部52aと面一をなす。そして、平坦部54aの冷気用吸入口カバー52側には、所定の高さの長方形の側部54bが連なり、一方、平坦部54aの側部54bとは反対側には、陳列室32と冷気用ダクト30とを区画する区画壁としての垂直部54cが一体に連なっている。補助用吸入口カバー54の平坦部54aにも、複数の長孔54dが形成され、これら長孔54dは、平坦部54aの長手方向に所定の間隔をあけて並んでいる。そして、各長孔54dは平坦部54aの略全幅に亘って延びており、補助用吸入口カバー54の平坦部54aも格子状をなしている。
【００１９】
エアカーテン用吸入口28b及び冷気用吸入口30bは、エアカーテン用及び冷気用ダクト28,30の上流端であり、エアカーテン用吸入口28b及び冷気用吸入口30bの下方では、エアカーテン用及び冷気用ダクト28,30は、前面パネル16に平行な仕切り壁56によって区画されている。
また、エアカーテン用及び冷気用吸入口28b,30b内には、支持部材58が配置され、支持部材58は、エアカーテン用、冷気用及び補助用吸入口カバー50,52,54の平坦部50a,52a,54aを着脱可能に支持している。
【００２０】
具体的には、支持部材58は、側面パネル24に平行な板部58aと、板部58aの両側に一体に形成された折り曲げ部58b,58cとを有する。板部58aは冷気用ダクト30内にほぼ配置され、折り曲げ部58b,58cは、ねじ（図示せず）によって仕切り壁56及び補助用吸入口カバー54の垂直部54cに固定されている。
支持部材58の板部58aの上側は部分的にエアカーテン用ダクト28内に突出しており、板部58aの上側には、平面形状がそれぞれ台形形状の２つの切欠き部58d,58eが形成され、且つ、切欠き部58d,58eを挟んで３つの折り曲げ部58f,58g,58hが一体に形成されている。上側の折り曲げ部58f,58g,58hは、エアカーテン用、冷気用及び補助用吸入口カバー50,52,54の平坦部50a,52a,54aにそれぞれ当接可能であり、エアカーテン用及び冷気用吸入口カバー50,52の平坦部50a,52aに部分的に沿わされる折り曲げ部58f,58gには、ねじ孔がそれぞれ形成されている。
【００２１】
各ねじ孔の位置は、長孔50d,52dの位置にそれぞれ合致しており、長孔50d,52dに上から挿通された化粧ねじ60,62が各ねじ孔にそれぞれねじ込まれ、これによってエアカーテン用及び冷気用吸入口カバー50,52が支持部材58に固定される。
なお、エアカーテン用及び冷気用吸入口カバー50,52が支持部材58に固定された状態にあるとき、冷気用吸入口カバー52の両側部52b,52cは、対応する切欠き部58d,58eにそれぞれ進入した状態にある。また、補助用吸入口カバー54の側部54bは、冷気用吸入口カバー52の一方の側部52cに隣接しながら、対応する切欠き部58eに進入した状態にある。
【００２２】
エアカーテン用吸入口カバー50の一方の側部50cは、冷気用吸入口カバー52の一方の側部52bに隣接しながら、対応する切欠き部58dに進入した状態にある。切欠き部58dは、仕切り壁56の上方に位置しており、このため文字通り、エアカーテン用吸入口カバー50は、エアカーテン用吸入口28bに配置されている。また、冷気用吸入口カバー52、並びに、補助用吸入口カバー54の平坦部54a及び側部54bは、冷気用吸入口30bに配置されている。
【００２３】
ここで、前面パネル16の上端には、弾性部材からなるガード部材64が配置され、ガード部材64は、前面パネル16の上端に沿って配置される中空のチューブ部64aを有する。チューブ部からは、前面パネル16との係合部64b,64cが下方に一体に突出し、係合部64b,64cは前面パネル16の上端を厚さ方向に挟んでいる。ガード部材64の陳列室32側の内面は平面をなしているが、チューブ部64aの上部には、陳列室32内に向かって斜め下方に延びる突出部64dが一体に形成されている。突出部64dは、上方からみて、エアカーテン用吸入口カバー50の各長孔50dの一部を覆っている。
【００２４】
そして、前面パネル16の上端部近傍、すなわちガード部材64の上方には、ポップレール66（広告スタンド）が配置される。ポップレール66は、金属製の線材を四角形に曲げて形成された枠体であり、陳列された商品の値段等を記載した広告を保持可能である。ポップレール66は、金属製の線材を折り曲げて形成された脚68を介して、前面パネル16に支持される。すなわち脚68の上端にポップレール66の端部が溶接され、脚68の下端が前面パネル16の内側に固定された管状の保持部材70に差し込まれる。
【００２５】
具体的には、脚68は、保持部材70に差し込まれ垂直に延びる下端部68aと、下端部68aに斜めに連なる傾斜部68bと、傾斜部68bから垂直に上に延びる垂直部68cと、垂直部68cの上端に直交する水平部68dと、水平部68dの前端に斜めに連なる上端部68eとを有する。脚68の傾斜部68bは、ガード部材64と脚68の垂直部68cとの間に所定の隙間を形成し、この隙間は、垂直部68cがガード部材64よりも上方に突出することで、水平部68dとガード部材64との間にも続いている。
【００２６】
エアカーテン用吸入口カバー50の他方の側部50bは、エアカーテン用吸入口カバー50が固定された状態にあるとき、ガード部材64の内面近傍に配置されている。そして、脚68は、エアカーテン用吸入口カバー50の長孔50dのうち１つを貫通しているが、ガード部材64の内面と脚68の垂直部68cとの間に所定の隙間が形成されているため、脚68の垂直部68cは、ガード部材64側の長孔50dの端から所定距離だけ離間している。
【００２７】
上述したショーケースでは、冷気用送風ファン46が作動させられると、冷気用ダクト30内で冷気が流動させられる。すなわち、蒸発器38を通過した冷気が、冷気用ダクト30内を上昇してから前方に向かい、冷気用吹出口30aから吹き出す。冷気用吹出口30aから吹き出した冷気は、陳列室32内の商品を冷却した後、冷気用吸入口30bから冷気用ダクト30内に吸入され、再び蒸発器38にて冷却される。
【００２８】
一方、エアカーテン用送風ファンが作動させられと、エアカーテン用ダクト28内で常温の空気が流動させられ、これにより、エアカーテン用吹出口28aから常温の空気が吹き出す。吹き出した空気は、本体14の開口を覆うように、換言すれば、陳列室32内と外部とを熱的に遮断しながら下方に向けて流れ、エアカーテン用吸入口28bからエアカーテン用ダクト28内に吸入される。
【００２９】
かくして陳列室32内の商品は冷気によって効率的に冷却されるが、時間が経過するにつれて、エアカーテン用及び冷気用吸入口28b,30bの周辺、特に仕切り壁56の上端部周辺には埃が溜まる。
そこで、上述した吸入口保護装置が適用されたエアカーテン用及び冷気用吸入口28b,30b周辺を清掃する際には、まず、化粧ねじ60,62を外す。この後、冷気用吸入口30bカバー52を外してから、エアカーテン用吸入口カバー50を持ち上げれば、図４に示したように、広告スタンドを前面パネル16にて支持したまま、エアカーテン用及び冷気用吸入口28b,30bからエアカーテン用及び冷気用吸入口カバー50,52を外すことができる。それから、雑巾等で払拭することにより、エアカーテン用及び冷気用吸入口28b,30b周辺を清掃することができる。
【００３０】
ここで、エアカーテン用吸入口カバー50を持ち上げるときには、脚68の垂直部68cに沿うように移動させてから、垂直部68cの上端で傾動させ、そして、水平部68dに沿って移動させればよい。なお、ガード部材64の突出部64dは弾性変形可能なので、エアカーテン用吸入口カバー50の移動を阻害することはない。
上述した吸入口保護装置によれば、エアカーテン用吸入口カバー50に形成された長孔50dが、ポップレール66の脚68を引き抜くことなく、エアカーテン用吸入口カバー50がエアカーテン用吸入口28bから離間するのを許容する。このため、エアカーテン用及び冷気用吸入口28b,30b周辺を清掃する者は、ポップレール66及び脚68を取り外さずに清掃を容易に行うことができる。この結果として、エアカーテン用及び冷気用吸入口28b,30b周辺の清潔感が確保され、ショーケースに陳列された商品に対する購買意欲が損なわれることがない。
【００３１】
また、上述したショーケースの吸入口保護装置によれば、エアカーテン用ダクト28と冷気用ダクト30との間を仕切る仕切り壁56の上端近傍に埃が溜まり易いが、エアカーテン用及び冷気用吸入口カバー50,52を取り外すことによって、仕切り壁56の上端近傍も容易に清掃することができる。
本発明は、上記した一実施形態に限定されることはなく種々の変形が可能である。
【００３２】
一実施形態のショーケースの吸入口保護装置は、吸入口に対し接離可能な吸入口カバーとして、互いに別体の２つのエアカーテン用吸入口カバー50と冷気用吸入口カバー52とを有していたが、これらを一体に形成してもよく、あるいは、互いに別体の３つ以上の吸入口カバーから構成してもよい。更には、隣接する吸入口カバー同士をヒンジ結合してもよい。
【００３３】
ただし、一実施形態のように、吸入口カバーとしてエアカーテン用吸入口カバー50と冷気用吸入口カバー52とを有すれば、取り付けが煩雑になることはない一方、エアカーテン用吸入口カバー50が小さく形成され、エアカーテン用吸入口28bから離間させるのが容易である。
一実施形態では、エアカーテン用吸入口カバー50、冷気用吸入口カバー52及び補助カバー54の平坦部50a,52a,54aには、空気又は冷気の流通孔として、複数の長孔50d,52d,54dがそれぞれ形成されていたが、流通孔の形状は特には限定されない。ただし、ポップレール66の脚68が挿通される孔は、長孔であるのが好ましい。
【００３４】
一実施形態のショーケースの吸入口保護装置では、エアカーテン用及び冷気用吸入口カバー50,52が化粧ねじ60,62を用いて支持部材58に固定されていたが、固定手段は特に限定されず、種々の固定部材を用いることができる。ただし、化粧ねじ60,62を用いて支持部材58にエアカーテン用及び冷気用吸入口カバー50,52を固定することで、簡単な構成にて、美観を損ねることなくエアカーテン用及び冷気用吸入口カバー50,52のがたつきが防止される。
【００３５】
最後に、本発明は、縦型のオープンショーケースのみならず、平型のオープンショーケースにも適用可能であり、更には、クローズドタイプのショーケースにも適用可能であるのは勿論である。
【図面の簡単な説明】
【００３６】
【図１】一実施形態の吸入口保護装置が適用されるショーケースの横断面及び室外機ユニットの概略構成を示す図である。
【図２】図１のショーケースの前面パネル近傍の上面図である。
【図３】図２のIII−III線に沿った部分拡大断面図である。
【図４】図３の吸入口保護装置を分解した状態を示す図である。
【符号の説明】
【００３７】
16      前面パネル
28b   エアカーテン用吸入口
30b   冷気用吸入口
50    エアカーテン用吸入口カバー
50d   長孔
66    ポップレール（広告スタンド）
68    脚
【図１】
2008202877.tif 000003
【図２】
2008202877.tif 000004
【図３】
2008202877.tif 000005
【図４】
2008202877.tif 000006